(57)【要約】【課題】良好な無線通信と、製造工程の工数を削減とを両立した携帯端末機を提供する。【解決手段】シールドカバー２０によってカメラモジュール１０を覆うとともに、シールドカバー２０の一部をガスケット３０と接触させてガスケット３０と接触する下側筐体５０のグランド面５２と導通させる。これにより、カメラモジュール１０から発生されたノイズを良好にシールドすることができる。また、シールドカバー２０の一部をガスケット３０を介して下側筐体５０のグランド面５２と導通させているので、わざわざ回路基板１４や基板４０にシールドカバー２０をグランド接続させるためのグランドパターンを設ける必要がなく、製造工程の工数を削減することができる。【選択図】図３
2011097425.tif 000002
【特許請求の範囲】
【請求項１】
一面に電子部品を実装し、他面に外部と接続する接続点を有する回路基板と、
前記回路基板の前記接続点と接触して導通する導電性ガスケットと、
前記回路基板の前記一面に配置されて前記電子部品を覆ってこの電子部品をシールドすると共に前記導電性ガスケットと一部が接触して導通するシールドカバーと、
前記回路基板，前記導電性ガスケットおよび前記シールドカバーを覆うと共にそのグランド面が前記導電性ガスケットと接触して導通する筐体と
を備えることを特徴とする携帯端末機。
【請求項２】
請求項１に記載の携帯端末機において、
前記回路基板は、他の基板と接続可能なフレキシブルケーブルを実装し、
前記シールドカバーは、欠損部を有し、前記フレキシブルケーブルに対応する位置に前記欠損部を配置させることにより、前記フレキシブルケーブルは、この欠損部を通じて前記シールドカバーの外部に突出する
ことを特徴とする携帯端末機。
【請求項３】
請求項１に記載の携帯端末機において、
前記回路基板は、前記電子部品を実装する部分の周辺に少なくとも一つのスルーホールが設けられており、
前記シールドカバーは、前記回路基板の前記一面に配置されて前記電子部品を覆ったときに前記スルーホールを貫通して前記導電性ガスケットと接触して導通する接続部を有する
ことを特徴とする携帯端末機。
【請求項４】
請求項１に記載の携帯端末において、
前記シールドカバーは、前記回路基板の端部に配置されて前記電子部品を覆ったときに前記回路基板の前記端部の壁面部に沿って前記導電性ガスケットと接触して導通する接続部を有する
ことを特徴とする携帯端末機。
【請求項５】
前記シールドカバーは、前記電子機器を筐体により保持されていることを特徴とする請求項１〜４のいずれかに記載の携帯端末機。
【請求項６】
前記シールドカバーは、両面テープによって前記電子部品に貼着されて保持されていることを特徴とする請求項１〜４のいずれかに記載の携帯端末機。
【請求項７】
前記導電性ガスケットは、弾性体に伝導性布を巻き付けたものであることを特徴とする請求項１〜６のいずれかに記載の携帯端末機。
【請求項８】
前記導電性ガスケットは、導電性両面テープであることを特徴とする請求項１〜６のいずれかに記載の携帯端末機。
【請求項９】
前記電子部品は、カメラモジュールであることを特徴とする請求項１〜８のいずれかに記載の携帯端末機。
【請求項１０】
前記電子部品は、液晶ディスプレイであることを特徴とする請求項１〜８のいずれかに記載の携帯端末機。
【発明の詳細な説明】
【技術分野】
【０００１】
本発明は、携帯端末機に関し、特にノイズを発生する電子部品を内蔵する携帯端末機に関する。
【背景技術】
【０００２】
近年、カメラ機能やその他の無線通信以外の機能を有する携帯端末機が数多く流通している。しかしながら、こうした無線通信以外の機能を用いる場合、その機能を司る電子部品がノイズを発生し、無線通信に悪影響を及ぼしてしまうおそれがある。このため、ノイズを多く発生する電子部品をシールドカバーで覆い、電子部品から発せられるノイズが周辺の電気回路やアンテナに影響を及ぼしてしまうことを抑制する必要がある。このように、ノイズを多く発生する電子部品をシールドカバーで覆う場合、ノイズに起因するエネルギーを拡散させるためにシールドカバーの一部を接地させておくのが一般的である。
【０００３】
そこで、ノイズを多く発生する電子部品を実装する配線基板に予めグランドパターンを設けておき、この電子部品をシールドカバーで覆うと共にこのシールドカバーの一端を配線基板に設けられたグランドパターンに圧接してグランドした携帯端末機が提案されている（たとえば、特許文献１参照）。この携帯端末機によれば、シールドカバーを回路基板に設けられたグランドパターンにはんだ付けする必要がないので、製造工程の工数の削減に役立てることができる。
【先行技術文献】
【特許文献】
【０００４】
【特許文献１】特開２００４−３１５３８号公報
【発明の概要】
【発明が解決しようとする課題】
【０００５】
しかしながら、特許文献１に記載の携帯端末機では、シールドカバーをグランドするために回路基板にグランドパターンを設ける必要がある。製作に要する工数をさらに削減させるためには、回路基板にグランドパターンを設けなくとも良好にシールドできることが望ましい。
【０００６】
本発明は、上述した課題に鑑みてなされたものであり、良好な無線通信と、製造工程の工数を削減とを両立した携帯端末機を提供することを目的とする。
【課題を解決するための手段】
【０００７】
本発明に係る携帯端末機は、一面に電子部品を実装し、他面に外部と接続する接続点を有する回路基板と、前記回路基板の前記接続点と接触して導通する導電性ガスケットと、前記回路基板の前記一面に配置されて前記電子部品を覆ってこの電子部品をシールドすると共に前記導電性ガスケットと一部が接触して導通するシールドカバーと、前記回路基板，前記導電性ガスケットおよび前記シールドカバーを覆うと共にそのグランド面が前記導電性ガスケットと接触して導通する筐体とを備えることを特徴とする。
【発明の効果】
【０００８】
本発明に係る携帯端末機によれば、シールドカバーによって電子部品を覆うとともに、このシールドカバーの一部を導電性ガスケットと接触させて、この導電性ガスケットと接触する筐体のグランド面と導通させているので、電子部品から発生されたノイズを良好にシールドすることができる。このため、電子部品からノイズが発生されたときでも良好な無線通信を実現することができる。
さらに、シールドカバーの一部を導電性ガスケットを介して筐体のグランド面と導通させているので、わざわざ回路基板にシールドカバーをグランド接続させるためのグランドパターンを設ける必要がなく、製造工程の工数を削減することができる。
【図面の簡単な説明】
【０００９】
【図１】本発明の実施の形態１に係る携帯端末機の分解斜視図である。
【図２】本発明の実施の形態１に係る携帯端末機に搭載されるカメラモジュール，シールドカバーおよびガスケットを示す斜視図である。
【図３】本発明の実施の形態１に係る携帯端末機の断面図である。
【図４】本発明の実施の形態２に係る携帯端末機の分解斜視図である。
【図５】本発明の実施の形態２に係る携帯端末機の断面図である。
【図６】本発明の実施の形態３に係る携帯端末機の分解斜視図である。
【図７】本発明の実施の形態３に係る携帯端末機の断面図である。
【発明を実施するための形態】
【００１０】
［実施の形態１］
以下、本発明の実施の形態１に係る携帯端末機１について図面を参照して詳細に説明する。
【００１１】
まず、本発明の実施の形態１に係る携帯端末機１の構成を説明する。
図１は、本発明の実施の形態１に係る携帯端末機１の分解斜視図である。図２は、本発明の実施の形態１に係る携帯端末機１を構成するシールドカバー，カメラモジュールおよびガスケットの斜視図である。図３は、図１のＡ−Ａ線断面図である。
本発明の実施の形態１に係る携帯端末機１は、図１〜３に示すように、下から順に、下側筐体５０と，ガスケット３０と，配線基板４０と，カメラモジュール１０と，シールドカバー２０と，上側筐体６０とを積み重ねた構成となっている。
【００１２】
カメラモジュール１０は、撮像部１２，撮像部１２と撮像部１２の動作を制御する制御回路（図示せず）と制御回路のグランドを外部と接続させる接点部１６とを実装する回路基板１４，および回路基板１４を基板４０と接続するためのフレキシブルケーブル１８を有している。
【００１３】
シールドカバー２０は、金属製のカバーであり、カメラモジュール１０を覆うための空間と、外部からの光を遮断しないようシールド部分のうちカメラモジュール１の撮像部１２に対応する位置に穴が設けられている。また、外壁部分のうちフレキシブルケーブル１８と対応する位置に欠損部が設けられており、フレキシブルケーブル１８をシールドカバー２０の外部に引き出せるよう構成されている。
【００１４】
ガスケット３０は、スポンジなどの弾性体に、金属をメッキした布など、導電性を有する布を巻き付けたものである。図３に示すように、ガスケット３０はカメラモジュール１０の接点部１６と，シールドカバー２０の一部と，下側筐体５０のグランド面５２という三つの部材と接触して導通している。
【００１５】
基板４０は、図１および図３に示すように、カメラモジュール１０が配置される箇所には穴が設けられている。携帯端末機１のカメラモジュール１０を除く他の電子部品を制御する電気回路を実装しており、カメラモジュール１０とはフレキシブルケーブル１８を介して接続される。
【００１６】
下側筐体５０は、金属や樹脂などの材料から形成されており、カメラモジュール１０やガスケット３０，基板４０を固定する機能を有する。下側筐体５０の内部のうち、ガスケット３０が接触する箇所にはグランド面５２が設けられており、ガスケット３０の電位をグランド面５２と同じ電位にしている。
したがって、シールドカバー２０の電位と，カメラモジュール１０の制御回路に含まれるグランドの電位とを下側筐体５０が有するグランド面５２の電位と同じ電位にすることができるので、シールドカバー２０の電位がカメラモジュール１０のグランドの電位に比べて高くなることに基づいて誤動作を引き起こしてしまうことを防ぐことができる。
【００１７】
上側筐体６０は、金属や樹脂などの材料から形成されており、シールドカバー２０をガスケット３０に対して押さえつけて固定する機能を有する。
【００１８】
次に、本発明の実施の形態１に係る携帯端末機１の組み立て手順を説明する。
はじめに、下側筐体５０のグランド面５２上にガスケット３０を載置する。次いで、このガスケット３０に対応する位置に基板４０の穴が配置されるよう基板４０を載置し、カメラモジュール１０を基板４０に設けられた穴を通してガスケット３０の上に積層し、フレキシブルケーブル１８を基板４０の接続部分に接続させる。続いて、フレキシブルケーブル１８に対応する位置に欠損部を対応させながら、カメラモジュール１０の上からシールドカバー２０を覆い被せるとともに、シールドカバー２０の一部をガスケット３０に接触させて導通させる。最後に、上側筐体６０を上から被せ、シールドカバー２０をガスケット３０に対して押しつけて固定させる。このようにして、本発明の実施の形態１に係る携帯端末機１が得られる。
【００１９】
このように、携帯端末機１では、上側筐体６０によってシールドカバー２０をガスケット３０に押しつけて固定して導通させているので、カメラモジュール１０の回路基板１４や，基板４０にシールドカバー２０をグランド接続させるためのグランドパターンを設けておく必要がない。したがって、携帯端末機１の製作工程の工数を削減することができるのである。
【００２０】
以上、本発明の実施の形態１に係る携帯端末機１によれば、シールドカバー２０によってカメラモジュール１０を覆うとともに、シールドカバー２０の一部をガスケット３０と接触させてガスケット３０と接触する下側筐体５０のグランド面５２と導通させているので、カメラモジュール１０から発生されたノイズを良好にシールドすることができる。このため、カメラモジュール１０からノイズが発生されたときでも良好な無線通信を実現することができる。
さらに、シールドカバー２０の一部をガスケット３０を介して下側筐体５０のグランド面５２と導通させているので、わざわざ回路基板１４や基板４０にシールドカバー２０をグランド接続させるためのグランドパターンを設ける必要がなく、製造工程の工数を削減することができる。
【００２１】
［実施の形態２］
次に、本発明の実施の形態２に係る携帯端末機２について図面を参照して詳細に説明する。
【００２２】
まず、本発明の実施の形態２に係る携帯端末機２の構成を説明する。
図４は、本発明の実施の形態２に係る携帯端末機２の分解斜視図である。図５は、図４のＡ−Ａ断面図である。
本発明の実施の形態２に係る携帯端末機２は、図４および図５に示すように、下から順に下側筐体１５０と，ガスケット１３０と，カメラモジュール１１０を実装する配線基板１４０と，シールドカバー１２０と，上側筐体１６０とを積み重ねた構成となっている。
なお、各構成要素のうち、ガスケット１３０，下側筐体１５０および上側筐体１６０については、それぞれ、本発明の実施の形態１で説明したガスケット３０，下側筐体５０および上側筐体６０と共通するので、詳しい説明は省略する。
【００２３】
カメラモジュール１１０は、基板１４０に直接実装されている点で、本発明の実施の形態１で説明したカメラモジュール１０と異なっている。なお、カメラモジュール１１０の動作を制御する制御回路のグランドを外部と接続させる接点部１１６は、基板１４０の裏面に設けられている。
【００２４】
シールドカバー１２０は、図４に示すように、一部に細長く突出して接続部として機能する腕部１２２を有している点や，欠損部が設けられていない点で本発明の実施の形態１で説明したシールドカバー２０と異なっている。また、図４および図５に示すように、シールドカバー１２０の腕部１２２は、基板１４０に設けられたスルーホール１４２を貫通した状態でガスケット１３０に接触して導通する。
【００２５】
基板１４０は、上述したように、カメラモジュール１１０を実装している点や，カメラモジュール１１０を制御する制御回路のグランドを外部と接続する接点部１１６を裏面に有する点で本発明の実施の形態１で説明した基板４０とは異なっている。また、カメラモジュール１１０が配置される箇所に穴が設けられていない点や、シールドカバー１２０の腕部１２２に対応する位置にスルーホール１４２が設けられている点でも本発明の実施の形態１で説明した基板４０とは異なっている。
【００２６】
次に、本発明の実施の形態２に係る携帯端末機２の組み立て手順を説明する。
はじめに、下側筐体１５０のグランド面１５２上にガスケット１３０を載置する。次いで、このガスケット１３０に対応する位置にカメラモジュール１１０の接点部１１６が接触して導通するよう基板１４０を載置する。続いて、カメラモジュール１１０の上からシールドカバー１２０を覆い被せるとともに、腕部１２２が基板１４２のスルーホール１４２を貫通してガスケット１３０に接触させて導通させる。最後に、上側筐体１６０を上から被せ、シールドカバー１２０をガスケット１３０に対して押しつけて固定させる。このようにして、本発明の実施の形態２に係る携帯端末機２が得られる。
【００２７】
このように、携帯端末機２では、上側筐体１６０によってシールドカバー１２０の腕部１２２を基板１４０に設けられたスルーホール１４２を貫通させた状態でガスケット１３０に押しつけて固定して導通させている。したがって、わざわざ基板１４０にシールドカバー１２０をグランド接続させるためのグランドパターンを設けておく必要がなく、携帯端末機２の製作工程の工数を削減することができるのである。
【００２８】
以上、本発明の実施の形態２に係る携帯端末機２によれば、シールドカバー１２０によってカメラモジュール１１０を覆うとともに、シールドカバー１２０の腕部１２２を基板１４０に設けられたスルーホール１４２を貫通させた状態でガスケット１３０と接触させて、このガスケット１３０と接触する下側筐体１５０のグランド面１５２と導通させているので、カメラモジュール１１０から発生されたノイズを良好にシールドすることができる。このため、カメラモジュール１１０からノイズが発生されたときでも良好な無線通信を実現することができる。
さらに、シールドカバー１２０の腕部１２２を基板１４０のスルーホール１４２を貫通させてガスケット１３０と接触させることにより、シールドカバー１２０をガスケット１３０を介して下側筐体１５０のグランド面１５２と導通させているので、わざわざ基板１４０にシールドカバー１２０をグランド接続させるためのグランドパターンを設ける必要がなく、製造工程の工数を削減することができる。
【００２９】
［実施の形態３］
次に、本発明の実施の形態３に係る携帯端末機３について図面を参照して詳細に説明する。
【００３０】
まず、本発明の実施の形態３に係る携帯端末機３の構成を説明する。
図６は、本発明の実施の形態３に係る携帯端末機３の分解斜視図である。図７は、図６のＡ−Ａ断面図である。
本発明の実施の形態３に係る携帯端末機３は、図６および図７に示すように、下から順に下側筐体２５０と，ガスケット２３０と，カメラモジュール２１０を実装する配線基板２４０と，シールドカバー２２０と，上側筐体２６０とを積み重ねた構成となっている。
なお、各構成要素のうち、ガスケット２３０，基板２４０，下側筐体２５０および上側筐体２６０については、それぞれ、本発明の実施の形態２で説明したガスケット１３０，基板１４０，下側筐体１５０および上側筐体１６０と共通するので、詳しい説明は省略する。
【００３１】
カメラモジュール２１０は、基板２４０に直接実装されている点で、本発明の実施の形態２で説明したカメラモジュール１１０と共通しているが、基板２４０の端部に実装されている点で本発明の実施の形態２で説明したカメラモジュール１１０と異なっている。
【００３２】
シールドカバー２２０は、図６に示すように、一部に突出して接続部として機能する腕部２２２を有しているが、この腕部２２２は板状になっている点で、本発明の実施の形態２で説明した細長く突出した腕部１２２とは異なっている。これは、カメラモジュール２１０が基板２４０の端部に設けられているため、わざわざ細長い形状にせずとも基板２４０の壁面に沿ってガスケット２３０に接触させて導通させられることに基づいている。
【００３３】
次に、本発明の実施の形態３に係る携帯端末機３の組み立て手順を説明する。
はじめに、下側筐体２５０のグランド面２５２上にガスケット２３０を載置する。次いで、このガスケット２３０に対応する位置にカメラモジュール２１０の接点部２１６が接触して導通するよう基板２４０を載置する。続いて、カメラモジュール２１０の上からシールドカバー１２０を覆い被せるとともに、腕部２２２が基板２４２の端部に沿わせてガスケット２３０に接触させて導通させる。最後に、上側筐体２６０を上から被せ、シールドカバー２２０をガスケット２３０に対して押しつけて固定させる。このようにして、本発明の実施の形態３に係る携帯端末機３が得られる。
【００３４】
このように、携帯端末機３では、上側筐体２６０によってシールドカバー２２０の腕部２２２を基板２４０の壁面部に沿わせた状態でガスケット２３０に押しつけて固定して導通させている。したがって、わざわざ基板２４０にシールドカバー２２０をグランド接続させるためのグランドパターンを設けておく必要がなく、携帯端末機３の製作工程の工数を削減することができるのである。
【００３５】
以上、本発明の実施の形態３に係る携帯端末機３によれば、シールドカバー２２０によってカメラモジュール２１０を覆うとともに、シールドカバー２２０の腕部２２２を基板２４０の壁面部に沿わせた状態でガスケット２３０と接触させて、ガスケット２３０と接触する下側筐体２５０のグランド面２５２と導通させているので、カメラモジュール２１０から発生されたノイズを良好にシールドすることができる。このため、カメラモジュール２１０からノイズが発生されたときでも良好な無線通信を実現することができる。
さらに、シールドカバー２２０の腕部２２２を基板２４０の壁面部に沿わせた状態でガスケット２３０と接触させることにより、シールドカバー２２０をガスケット２３０を介して下側筐体２５０のグランド面２５２と導通させているので、わざわざ基板２４０にシールドカバー２２０をグランド接続させるためのグランドパターンを設ける必要がなく、製造工程の工数を削減することができる。
【００３６】
［変形例］
なお、上述した本発明の実施の形態１〜３に係る携帯端末機１〜３では、シールドカバー２０，１２０，２２０はそれぞれ上側筐体６０，１６０，２６０によってガスケット３０，１３０，２３０に押しつけられて固定されるものとして説明したが、それぞれ両面テープによってカメラモジュール１０，１１０，２１０に貼着されて固定されるものとしても構わない。
【００３７】
また、上述した本発明の実施の形態１〜３に係る携帯端末機１〜３では、ガスケット３０，１３０，２３０はそれぞれスポンジなどの弾性体に、金属をメッキした布など、導電性を有する布を巻き付けたものとして説明したが、導電性を有する両面テープであっても構わない。
【００３８】
さらに、上述した本発明の実施の形態１〜３に係る携帯端末機１〜３では、それぞれ、シールドカバー２０，１２０，２２０によってカメラモジュール１０，１１０，２１０をシールドするものとして説明したが、液晶ディスプレイなど他の電子部品をシールドするものとしても構わない。加えて、シールドカバー２０，１２０，２２０は、それぞれ金属製のカバーとして説明したが、金属がメッキされた樹脂や、金属が蒸着された樹脂であっても構わない。
【００３９】
また、上述した本発明の実施の形態１〜３に係る携帯端末機１〜３では、ガスケット３０，１３０，２３０は、それぞれ下側筐体５０，１５０，２５０のグランド面５２，１５２，２５２と接触するものとして説明したが、他の基板のグランド面に接触するものとしても構わない。
【産業上の利用可能性】
【００４０】
本発明は携帯端末機の製造産業などに利用可能である。
【符号の説明】
【００４１】
１，２，３…携帯端末機、１０…カメラモジュール、１２…撮像部，１４…回路基板、１６…接点部、１８…フレキシブルケーブル、２０…シールドカバー、３０…ガスケット、４０…基板、５０…下側筐体、５２…グランド面，６０…上側筐体、１１０…カメラモジュール、１１２…撮像部，１１４…回路基板、１１６…接点部、１２０…シールドカバー、１２２…腕部、１３０…ガスケット、１４０…基板、１４２…スルーホール、１５０…下側筐体、１５２…グランド面，１６０…上側筐体、２１０…カメラモジュール、２１２…撮像部，２１４…回路基板、２１６…接点部、２２０…シールドカバー、２２２…腕部、２３０…ガスケット、２４０…基板、２５０…下側筐体、２５２…グランド面，２６０…上側筐体。
【図１】
2011097425.tif 000003
【図２】
2011097425.tif 000004
【図３】
2011097425.tif 000005
【図４】
2011097425.tif 000006
【図５】
2011097425.tif 000007
【図６】
2011097425.tif 000008
【図７】
2011097425.tif 000009